(57)【要約】【課題】相互に閉じる方向と開く方向とに操作されて相互間で対象物に対して所定の作用をする一対の開閉作動部材が、容易に且つ効果的に消毒又は洗浄等され得る、開閉操作式作業具を提供する。【解決手段】一対の開閉作動部材３ａ，３ｂの開操作時に、該一対の開閉作動部材３ａ，３ｂへと液体Ｌが自動的に供給されるように作動する給液制御装置４を設けた。前記一対の開閉作動部材３ａ，３ｂを開操作すると、前記給液制御装置４が作動して、開いた状態又は開く途中の状態の前記一対の開閉作動部材３ａ，３ｂへと、液体Ｌが自動的に供給される。したがって、該液体として消毒液Ｌを用いれば、一連の作業中、自動的に、前記一対の開閉作動部材３ａ，３ｂが効果的に消毒される。【選択図】　　図１
2004057073.tif 000002
【特許請求の範囲】
【請求項１】
相互に閉じる方向と開く方向とに操作されて相互間で対象物（Ｔ）に対して所定の作用をする一対の開閉作動部材（３ａ，３ｂ）と、該一対の開閉作動部材（３ａ，３ｂ）の開操作時に該一対の開閉作動部材（３ａ，３ｂ）へと液体（Ｌ）が自動的に供給されるように作動する給液制御装置（４）と、を備えている、開閉操作式作業具。
【請求項２】
前記給液制御装置（４）が、前記一対の開閉作動部材（３ａ，３ｂ）の開操作時にのみ該一対の開閉作動部材（３ａ，３ｂ）へと前記液体（Ｌ）が自動的に供給されるように作動するものである、請求項１に記載の開閉操作式作業具。
【請求項３】
前記給液制御装置（４）が、前記一対の開閉作動部材（３ａ，３ｂ）の開操作に連動して該一対の開閉作動部材（３ａ，３ｂ）へと前記液体（Ｌ）が供給されるように作動する、請求項１または２に記載の開閉操作式作業具。
【請求項４】
前記給液制御装置（４）が、前記一対の開閉作動部材（３ａ，３ｂ）の開操作に連動して前記液体（Ｌ）の流路（１３）を開く開閉弁（１４）を備えている、請求項１，２または３に記載の開閉操作式作業具。
【請求項５】
前記給液制御装置（４）が、前記一対の開閉作動部材（３ａ，３ｂ）の開操作時に前記開閉弁（１４）の弁操作部（２４）と相互に接触して該弁操作部（２４）を駆動する駆動部（２５）を備えている、請求項４に記載の開閉操作式作業具。
【請求項６】
前記駆動部（２５）は、前記一対の開閉作動部材（３ａ，３ｂ）の開操作時にも閉操作時にも前記弁操作部（２４）と相互に接触し、前記開閉弁（１４）は、前記一対の開閉作動部材（３ａ，３ｂ）の開操作時における前記駆動部（２５）と前記弁操作部（２４）との相互接触によってのみ開かれるものである、請求項５に記載の開閉操作式作業具。
【請求項７】
前記駆動部（２５）と前記弁操作部（２４）のそれぞれが、前記一対の開閉作動部材（３ａ，３ｂ）を開閉操作するための一対の開閉操作部（７ａ，７ｂ）のそれぞれに支持されている、請求項５または６に記載の開閉操作式作業具。
【請求項８】
前記一対の開閉作動部材（３ａ，３ｂ）に向けて固定された噴霧ノズル（１０，１０）を備えている、請求項１乃至７のいずれか一項に記載の開閉操作式作業具。
【請求項９】
前記給液制御装置（４）に連結される液体圧送装置（１２）を備えている、請求項１乃至８のいずれか一項に記載の開閉操作式作業具。
【請求項１０】
前記液体圧送装置が、蓄圧式タンク（１２）である、請求項９に記載の開閉操作式作業具。
【請求項１１】
開閉操作自在な一対の刃（３ａ，３ｂ）を有するはさみ本体（２）と、該はさみ本体（２）に支持されて前記一対の刃（３ａ，３ｂ）に液体（Ｌ）を噴霧するための噴霧ノズル（１０，１０）と、該噴霧ノズル（１０，１０）へ前記液体（Ｌ）を供給するための送液管路（１３）と、該送液管路（１３）に介装されるとともに前記はさみ本体（２）の開操作に連動して開かれる開閉弁（１４）と、を備えている、はさみ。
【請求項１２】
相互に閉じる方向と開く方向とに操作されて相互間で対象物（Ｔ）に対して所定の作用をする一対の開閉作動部材（３ａ，３ｂ）を有する作業具（２）に自動的に液体（Ｌ）を供給する、作業具への液体供給装置であって、前記液体（Ｌ）を液源（１２）から前記一対の開閉作動部材（３ａ，３ｂ）へと送るための送液管路（１３）と、該送液管路（１３）に介装されるとともに前記一対の開閉作動部材（３ａ，３ｂ）の開操作に連動して開かれる開閉弁（１４）と、を備えている、作業具への液体供給装置。
【請求項１３】
前記開閉弁（１４）の弁操作部（２４）が、前記一対の開閉作動部材（３ａ，３ｂ）の開操作時に前記作業具（２）と直接又は間接に接触して駆動されることを特徴とする、請求項１２に記載の作業具への液体供給装置。
【請求項１４】
はさみ（２）の一対の刃（３ａ，３ｂ）に向けて消毒液（Ｌ）を噴霧するように前記はさみ（２）に取り付けられる噴霧ノズル（１０，１０）と、該噴霧ノズル（１０，１０）と前記消毒液（Ｌ）の加圧液源（１２）とを連通連結する送液管路（１３）と、該送液管路（１３）に介装されるとともに前記はさみ（２）の一方の柄（７ａ）に支持される開閉弁（１４）と、を備え、該開閉弁（１４）が、前記一対の刃（３ａ）の開操作時における前記はさみ（２）の前記一方の柄（７ａ）と他方の柄（７ｂ）の相対的な動きに起因して開かれることを特徴とする、はさみ消毒装置。
【請求項１５】
前記開閉弁（１４）の弁操作部（２４）が、前記一対の刃（３ａ，３ｂ）の開操作時に前記他方の柄（７ｂ）と直接又は間接に接触して駆動されることを特徴とする、請求項１４に記載のはさみ消毒装置。
【発明の詳細な説明】
【０００１】
【発明の属する技術分野】
本発明は、相互に閉じる方向と開く方向とに操作されて相互間で対象物に対して所定の作用をする開閉操作式作業具に関するものであり、具体的には、例えば、剪定作業等に用いて好適な、はさみに関するものである。本発明はまた、前記の如き作業具の消毒や洗浄等に用いて好適な、作業具への液体供給装置に関するものである。
【０００２】
【従来の技術】
相互に閉じる方向と開く方向とに操作されて相互間で対象物に対して所定の作用をする作業具の一例として、農園芸作業に用いられる剪定ばさみがある。該剪定ばさみを用いて、野菜や果物の収穫作業や植物の剪定作業を行う場合、病気の枝葉と健全な枝葉とを同一のはさみで剪定すると、はさみの刃を介して、健全な植物へと病原菌が伝染してしまうことがある。
【０００３】
このため、刃を消毒液に浸ける等の方法により、一回一回の剪定作業の前に、その都度はさみの刃を消毒するのが望ましい。
【０００４】
【発明が解決しようとする課題】
しかしながら、剪定作業中にはさみの刃を頻繁に消毒するのは、煩わしいだけでなく、剪定作業能率の低下にもつながるので、はさみの刃の適切な消毒はなかなか実行されにくいのが実情である。
【０００５】
本発明は、前記の如き事情に鑑みてなされたもので、相互に閉じる方向と開く方向とに操作されて相互間で対象物に対して所定の作用をする一対の開閉作動部材が、容易に且つ効果的に消毒又は洗浄等され得る、開閉操作式作業具及びはさみを提供しようとするものである。
【０００６】
本発明はまた、相互に閉じる方向と開く方向とに操作されて相互間で対象物に対して所定の作用をする一対の開閉作動部材を有する作業具に簡単に液体を供給することができる、作業具への液体供給装置を提供しようとするものである。
【０００７】
さらに、本発明は、はさみの刃を容易に、且つ効果的に消毒することのできる、はさみ消毒装置を提供しようとするものである。
【０００８】
【課題を解決するための手段】
前記課題を解決するため、本発明に係る開閉操作式作業具は、相互に閉じる方向と開く方向とに操作されて相互間で対象物に対して所定の作用をする一対の開閉作動部材と、該一対の開閉作動部材の開操作時に該一対の開閉作動部材へと液体が自動的に供給されるように作動する給液制御装置と、を備えたことを特徴としている（請求項１）。
【０００９】
本発明によれば、前記一対の開閉作動部材を開操作すると、前記給液制御装置が作動して、開いた状態又は開く途中の状態の前記一対の開閉作動部材へと、液体が自動的に供給される。したがって、前記一対の開閉作動部材を消毒したい場合には、前記液体として消毒液を用い、前記一対の開閉作動部材を洗浄したい場合には、前記液体として、水や洗浄液を用いれば、前記一対の開閉作動部材の消毒や洗浄が簡単に、且つ効果的に行える。但し、前記液体は、消毒液や洗浄液には限らず、前記一対の開閉作動部材への液体供給の目的に応じたものを用いることができる。
【００１０】
また、本発明によれば、前記一対の開閉作動部材が開いた状態又は開く途中の状態にある時に、該一対の開閉作動部材に対して前記液体が供給されるので、前記一対の開閉作動部材の全体に前記液体が確実に行き渡る。
【００１１】
好適な実施の一形態として、前記給液制御装置は、前記一対の開閉作動部材の開操作時にのみ該一対の開閉作動部材へと前記液体が自動的に供給されるように作動するものとしても良い（請求項２）。
【００１２】
好適な実施の一形態として、前記給液制御装置が、前記一対の開閉作動部材の開操作に連動して該一対の開閉作動部材へと前記液体が供給されるように作動するものとしても良く（請求項３）、さらに、前記給液制御装置が、前記一対の開閉作動部材の開操作に連動して前記液体の流路を開く開閉弁を備えたものとしても良い（請求項４）。さらにまた、前記給液制御装置が、前記一対の開閉作動部材の開操作時に前記開閉弁の弁操作部と相互に接触して該弁操作部を駆動する駆動部を備えたものとしても良い（請求項５）。該駆動部は、前記一対の開閉作動部材の開操作時にも閉操作時にも前記弁操作部と相互に接触し、前記開閉弁は、前記一対の開閉作動部材の開操作時における前記駆動部と前記弁操作部との相互接触によってのみ開かれるものとすることもできる（請求項６）。
【００１３】
好適な実施の一形態として、前記駆動部と前記弁操作部のそれぞれは、前記一対の開閉作動部材を開閉操作するための一対の開閉操作部のそれぞれに支持されたものとすることもできる（請求項７）。
【００１４】
好適な実施の一形態として、前記一対の開閉部材に向けて固定された噴霧ノズルを備えたものとすることもできる（請求項８）。
【００１５】
好適な実施の一形態として、前記給液制御装置に連結される液体圧送装置を備えたものとすることもできる（請求項９）。該液体圧送装置としては、蓄圧式タンクを用いることもできる（請求項１０）。
【００１６】
本発明に係るはさみは、開閉操作自在な一対の刃を有するはさみ本体と、該はさみ本体に支持されて前記一対の刃に液体を噴霧するための噴霧ノズルと、該噴霧ノズルへ前記液体を供給するための送液管路と、該送液管路に介装されるとともに前記はさみ本体の開操作に連動して開かれる開閉弁と、を備えたものである（請求項１１）。
【００１７】
本発明に係る前記はさみによれば、前記一対の刃の間に切断対象物を位置させて、前記一対の切断手段を相互に閉じるように操作することにより、それら同士の間で前記対象物が切断される。その後、前記一対の刃を開操作すると、その操作に連動して、それまで閉じていた前記開閉弁が開かれる。その結果、前記送液管路を介して前記噴霧ノズルへと液体が供給され、前記噴霧ノズルから、開いた状態又は開く途中の状態にある前記一対の刃に、前記液体が噴霧される。したがって、液体噴霧の目的が、前記一対の刃の消毒にある場合には、前記液体として消毒液を用い、前記一対の刃を洗浄するのが目的である場合には、前記液体として、水や洗浄液を用いれば、前記一対の刃の消毒や洗浄が簡単に、且つ効果的に行える。勿論、前記液体は、消毒液や洗浄液には限らず、前記一対の刃への噴霧の目的に応じたものを用いることができる。
【００１８】
本発明に係る液体供給装置は、相互に閉じる方向と開く方向とに操作されて相互間で対象物に対して所定の作用をする一対の開閉作動部材を有する作業具に自動的に液体を供給する、作業具への液体供給装置であって、前記液体を液源から前記一対の開閉作動部材へと送るための送液管路と、該送液管路に介装されるとともに前記一対の開閉作動部材の開操作に連動して開かれる開閉弁と、を備えたものである（請求項１２）。
【００１９】
本発明に係る前記液体供給装置によれば、前記一対の開閉作動部材の開操作に連動して、前記開閉弁が開かれる。その結果、前記液源内の液体が、前記送液管路を介して、開いた状態又は開く途中の状態の前記一対の開閉作動部材に対して自動的に供給される。したがって、例えば、前記液体として消毒液を用いれば、前記一対の開閉作動部材が容易に、かつ効果的に消毒される。勿論、本発明においては、前記液体の具体的内容には限定はない。
【００２０】
好適な実施の一形態として、前記開閉弁の弁操作部が、前記一対の開閉作動部材の開操作時に前記作業具と直接又は間接に接触して駆動されることとしても良い（請求項１３）。ここで、「直接又は間接に接触」とは、前記作業具自体と相互接触する場合のほか、該作業具に取り付けられた他の部材を介して相互接触する場合も含む趣旨である。
【００２１】
本発明に係るはさみ消毒装置は、はさみの一対の刃に向けて消毒液を噴霧するように前記はさみに取り付けられる噴霧ノズルと、該噴霧ノズルと前記消毒液の加圧液源とを連通連結する送液管路と、該送液管路に介装されるとともに前記はさみの一方の柄に支持される開閉弁と、を備え、該開閉弁が、前記一対の刃の開操作時における前記はさみの前記一方の柄と他方の柄の相対的な動きに起因して開かれることを特徴としている（請求項１４）。
【００２２】
好適な実施の一形態として、前記開閉弁の弁操作部が、前記一対の刃の開操作時に前記他方の柄と直接又は間接に接触して駆動されることとしても良い（請求項１５）。ここで、「直接又は間接に接触」とは、前記他方の柄自体と相互接触する場合のほか、該他方の柄に取り付けられた他の部材を介して相互接触する場合も含む趣旨である。
【００２３】
【発明の実施の形態】
以下、添付図面を参照して、本発明の好適な一実施の形態について説明する。
【００２４】
以下に説明する実施の形態は、本発明思想を、切断具としてのはさみについて具現化したものである。しかし、本発明の適用対象は、これに限定される理由はない。本発明は、相互に閉じる方向と開く方向とに操作されて相互間で対象物に対して所定の作用をする一対の開閉作動部材を有する作業具について、必要に応じて広く適用可能なものである。したがって、例えば、対象物をつかむための作業具についても適用できる。
【００２５】
図１は、本発明の実施の一形態に係る開閉操作式作業具の一例としての、剪定作業に用いて特に好適なはさみの全体斜視図、図２は、図１のはさみを上から見た状態の一部切欠平面図、図３は、図１のはさみの動作を示す側面図、図４は、液源の好適例の全体斜視図である。
【００２６】
図１に示したはさみ１は、自己消毒（滅菌）作用又は自己洗浄作用を有する作業具であるはさみ、すなわち、消毒または洗浄等の目的に応じた液体を供給する液体供給装置を備えたはさみである。
【００２７】
図１において、前記はさみ１は、物の切断作業、特に、トマト等の植物の茎や枝等の切断作業又は剪定作業に適する、市販されている適宜の種類のはさみ本体２と、該はさみ本体２の開操作時に一対の開閉作動部材である剪断刃３ａ，３ｂへと液体Ｌが供給されるように作動する給液制御装置４と、を備えている。本実施の形態では、一例として、前記一対の剪断刃３ａ，３ｂへの液体供給の目的が、剪定作業時における前記剪断刃３ａ，３ｂの消毒にあるものとして説明する。したがって、前記液体としては、植物の生育を阻害する潰瘍病等の病原菌の殺菌作用を有する消毒液Ｌが用いられる。しかし、これには限定されず、用途に応じて、前記一対の剪断刃３ａ，３ｂへの供給目的に適合する様々な効能を有する液体を使用できることは言うまでもない。
【００２８】
前記はさみ本体２は、剪定ばさみとしてそれ自体周知の構成を有するものであり、互いに協働して剪断作用を奏する一対のはさみ半体５ａ，５ｂと、該一対のはさみ半体５ａ，５ｂを交差状に開閉操作自在に枢止する枢止軸６と、を備えている。前記一対のはさみ半体５ａ，５ｂの一端側には、開閉作動部材としての前記剪断刃３ａ，３ｂが対をなして形成され、前記一対のはさみ半体５ａ，５ｂの他端側には、前記一対の剪断刃３ａ，３ｂを相互に開閉操作するための開閉操作部として、柄７ａ，７ｂが対をなして形成されている。
【００２９】
前記一対の剪断刃３ａ，３ｂは、相互に閉じることにより、相互間で、対象物としての植物の枝や茎等を切断する。使用者が、前記一対の柄７ａ，７ｂを、片手で握りしめて相互に閉じることにより、前記一対の剪断刃３ａ，３ｂが相互に閉操作され、前記一対の柄７ａ，７ｂを相互に開くことにより、前記一対の剪断刃３ａ，３ｂが相互に開操作される。
【００３０】
前記一対のはさみ半体５ａ，５ｂは、その開操作を容易にするために、相互間に介装された戻しばね８によって、前記一対の剪断刃３ａ，３ｂおよび前記一対の柄７ａ，７ｂが相互に開く方向へと常時付勢されている。図１には、前記はさみ１の不使用時に使用される着脱式ロック部材９によって、前記戻しばね８の付勢力に抗して、前記一対のはさみ半体５ａ，５ｂが閉状態に拘束された状態が示されている。
【００３１】
前記はさみ本体２には、前記消毒液Ｌを前記一対の剪断刃３ａ，３ｂへ向けて噴霧するための噴霧ノズル１０，１０が取着されている。取着の方法は、溶接、ねじ止め、リベット止め等、適宜の方法を採用することができる。本実施の形態では、図１および図２に示すように、前記噴霧ノズル１０，１０は、前記一対の剪断刃３ａ，３ｂの表裏両面に同時に前記消毒液Ｌを噴霧することができるように、その液体噴出口１０ａ，１０ａを、前記一対の剪断刃３ａ，３ｂの表裏両面へ向けて、対をなして配設されている。前記一対の噴霧ノズル１０，１０のそれぞれは、前記一方のはさみ半体５ａの表面と裏面のそれぞれに、ブラケット１１，１１を介して支持されている。
【００３２】
次に、図１および図３を参照して、前記給液制御装置４について説明する。該給液制御装置４は、前記一対の剪断刃３ａ，３ｂの開操作に連動して該一対の剪断刃３ａ，３ｂへと前記消毒液Ｌが供給されるように作動する。前記給液制御装置４は、前記消毒液Ｌを液源１２から前記一対の噴霧ノズル１０，１０へと送るための流路を形成する送液管路としてのごく細いビニールチューブ１３と、前記流路に介装されるとともに前記一対の剪断刃３ａ，３ｂの開操作に連動して開かれる開閉弁であるミニチュアバルブ１４と、を備えている。
【００３３】
前記チューブ１３は、前記噴霧ノズル３ａ，３ｂの配設数に対応して、前記ミニチュアバルブ１４の下流側で分配継手１５により二股に分岐している。そして、前記チューブ１３の二つの送液下流側端部１６ａ，１６ｂのそれぞれが、前記一対の噴霧ノズル１０，１０のそれぞれに対して接続されている。
【００３４】
一方、前記チューブ１３の送液上流側端部には、図１に示すように、前記液源１２へ接続するための連結具１７が取着されている。前記液源１２としては、様々な形式のものを採用することができるが、携帯式の液体タンクを用いれば、使用者が携行して剪定作業を行うことができるので、好適である。特に、図４に示すように、それ自体周知の構成の手動蓄圧式タンク１２を用いれば、軽量かつ安価でありながら、確実に前記消毒液Ｌを前記一対の噴霧ノズル１０，１０へ向けて圧送することができて、一層好適である。
【００３５】
図４において、液体圧送装置又は加圧液源としての前記蓄圧式タンク１２は、携帯に適する肩掛けベルト１８を有するとともに、蓄圧操作部材として、蓄圧ピストン操作ロッド１９を備えている。該蓄圧ピストン操作ロッド１９を押し操作することにより、前記タンク１２の本体２０内が加圧される。前記タンク１２の吐出口を形成するノズル部２１には、前記チューブ１３の前記連結具１７が取り外し自在に接続される。前記タンク本体２０内には、消毒液や洗浄液等、前記一対の剪断刃３ａ，３ｂへの液体供給の目的に応じた液体Ｌを、自在に補給することができる。
【００３６】
図１および図３に示すように、前記ミニチュアバルブ１４を内蔵する弁装置２２は、下向きＬ形のブラケット２３を介して前記はさみ本体２の前記一方の柄７ａに支持され、前記弁装置２２の弁操作部となる揺動自在なばね板２４を駆動する駆動部であるローラー２５が、横向きＬ形のブラケット２６を介して前記他方の柄７ｂに支持されている。そして、使用者が、前記一対の剪断刃３ａ，３ｂを開くために、手を緩めて前記一対の柄７ａ，７ｂを相互に開操作した時に、前記ローラー２５と前記ばね板２４とが相互に接触して、常時は閉じている前記ミニチュアバルブ１４が開かれるようになっている。
【００３７】
図２に示すように、前記ローラー２５と前記ばね板２４との位置関係は、前記一対の柄７ａ，７ｂを相互に閉操作する時にも開操作する時にも、前記ローラー２５と前記ばね板２４の揺動先端部２４ｂとが、相互に接触するような位置関係となっている。すなわち、前記ばね板２４の前記揺動先端部２４ｂは、前記はさみ本体２の開閉操作時における前記ローラー２５の移動軌跡上に位置している。
【００３８】
一方、図３に示すように、前記ばね板２４は、その揺動基端部２４ａを前記弁装置２２の弁ケース２７に止着されて、常時は、図３に二点鎖線で示した非操作時姿勢ＮＰを保持している。前記ばね板２４の前記揺動先端部２４ｂを前記非操作時姿勢ＮＰから一方向（図３の下方）へ向けて前記ローラー２５で押し下げ駆動すると、前記ばね板２４によって前記ミニチュアバルブ１４の弁軸２８が押されて、前記ミニチュアバルブ１４が開かれる。前記ローラー２５が前記ばね板２４を下方へ通過すると、該ばね板２４が逆方向（図３の上方）へ弾撥復帰して、前記弁軸２８から離れた前記非操作時姿勢ＮＰとなるので、前記ミニチュアバルブ１４は閉じられる。逆に、前記ばね板２４の前記揺動先端部２４ｂを前記非操作時姿勢ＮＰから他方向（図３の上方）へ向けて前記ローラー２５で押し上げ駆動すると、前記ばね板２４は前記弁軸２８から離れる方向へ撓むので、前記ミニチュアバルブ１４が開かれることはない。前記ローラー２５が前記ばね板２４を上方へ通過すると、該ばね板２４は逆方向（図３の下方）の前記非操作時姿勢ＮＰへと弾撥復帰する。
【００３９】
このように、前記ローラー２５は、前記一対の柄７ａ，７ｂの開操作時にも閉操作時にも前記ばね板２４と相互に接触するが、前記ミニチュアバルブ１４は、前記一対の柄７ａ，７ｂの開操作時における前記ローラー２５と前記ばね板２４との相互接触によってのみ開かれる。したがって、前記一対の剪断刃３ａ，３ｂによる植物の切断時、すなわち、前記一対の剪断刃３ａ，３ｂおよび前記一対の柄７ａ，７ｂの閉操作時には、前記ローラー２５が前記ばね板２４に下側から接触しても、前記消毒液Ｌは噴霧されず、前記一対の柄７ａ，７ｂの開操作時にのみ、前記消毒液Ｌが噴霧される。
【００４０】
次に、図３を参照して、本実施の形態に係る前記はさみ１の動作を説明する。使用者が、前記一対の柄７ａ，７ｂを手で握って互いに閉じて、枝や茎等の対象物Ｔの切断を行った後に、前記一対の柄７ａ，７ｂを握っている手の力を緩めると、前記戻しばね８の作用によって、前記一対の柄７ａ，７ｂおよび前記一対の剪断刃３ａ，３ｂが相互に開作動する。その途中で、前記ローラー２５が前記ばね板２４の前記揺動先端部２４ｂに上側から接触し、前記ばね板２４で前記弁軸２８が押されて、前記ミニチュアバルブ１４が開く。よって、開いた状態又は開く途中の状態の前記一対の剪断刃３ａ，３ｂへと、前記一対の噴霧ノズル１０，１０から、前記消毒液Ｌが勢いよく噴霧される。前記ローラー２５が上側から前記ばね板２４を撓ませて通過すると、該ばね板２４は前記非操作姿勢ＮＰへと自動的に復帰し、前記一対の噴霧ノズル１０，１０からの噴霧は停止する。使用者は、前記一対の柄７ａ，７ｂに加える握力を加減して、前記ローラー２５と前記ばね板２４とが相互に接触した状態を維持させれば、前記一対の噴霧ノズル１０，１０からの噴霧時間を延ばすこともできる。
【００４１】
続いて、前記使用者が、次の対象物Ｔの切断を行うために前記一対の柄７ａ，７ｂを再び閉操作すると、その閉操作過程で、前記ローラー２５が前記ばね板２４の前記揺動先端部２４ｂに下側から接触する。しかし、該ばね板２４は、前記ローラー２５の動きに追従して前記弁軸２８から離れる方向へ撓むので、前記ミニチュアバルブ１４は開かれず、前記消毒液Ｌが噴霧されることはない。前記一対の柄７ａ，７ｂが完全に閉じられた状態においては、前記ローラー２５は、前記ばね板２４を前記一方の柄７ａ側へと通過して、前記ばね板２４より内側（上方）に入り込んでいる。
【００４２】
前記はさみ１によれば、一回の切断操作に引き続いて必然的に行われる前記一対の柄７ａ，７ｂの開操作時に、自動的に前記一対の剪断刃３ａ，３ｂの表裏全体が消毒される。よって、病気の植物を切断したことで、たとえ前記一対の剪断刃３ａ，３ｂに病原菌が付着したとしても、次の切断操作を行う時には、既に滅菌処置されていることになる。このため、植物の個体間における病原菌の伝染を効果的に防止することができる。しかも、前記一対の剪断刃３ａ，３ｂの消毒に当たって、剪定作業を中断する必要がないので、剪定作業効率が低下することもない。
【００４３】
また、前記消毒液Ｌは、前記一対の剪断刃３ａ，３ｂが開いた状態又は開く途中の状態にある時にのみ、該一対の剪断刃３ａ，３ｂに対して噴霧されるので、該剪断刃３ａ，３ｂの全体に前記消毒液Ｌが確実に行き渡る。よって、高い消毒効果が得られる利点もある。
【００４４】
さらに、前記はさみ１によれば、対象物Ｔの切断時には前記消毒液Ｌが噴霧されないので、剪定植物を切断後、該植物から前記はさみ１を一旦離してから前記一対の剪断刃３ａ，３ｂを開操作することにより、例えば、前記液体Ｌとして、前記剪定植物に大量に降りかかっては望ましくない性質の消毒液を用いた場合等に、前記剪定植物が前記消毒液を余分に浴びることがなく、薬害も防止でき、薬液Ｌが無駄に散布されることもなく、好適である。
【図面の簡単な説明】
【図１】本発明の実施の一形態に係る切断具としての、剪定作業に用いて特に好適なはさみの全体斜視図である。
【図２】図１のはさみを上から見た状態の一部切欠平面図である。
【図３】図１のはさみの動作を示す側面図である。
【図４】液源の好適例の全体斜視図である。
【符号の説明】
２　　はさみ本体（はさみ、作業具）
３ａ，３ｂ　一対の開閉作動部材（刃）
４　　給液制御装置
７ａ，７ｂ　一対の開閉操作部（柄）
１０　噴霧ノズル
１２　液体圧送装置（蓄圧式タンク、液源、加圧液源）
１３　流路（送液管路、チューブ）
１４　開閉弁（ミニチュアバルブ）
２４　弁操作部（ばね板）
２５　駆動部（ローラー）
Ｌ　　液体（消毒液）
Ｔ　　対象物
【図１】
2004057073.tif 000003
【図２】
2004057073.tif 000004
【図３】
2004057073.tif 000005
【図４】
2004057073.tif 000006